(57)【要約】  関連するライセンス保護構成からのライセンスの完全分離のための方法及びシステム、特に、作動方法及び管理システム、並びにそれに適する被管理システムを提供する。【選択図】図１【特許請求の範囲】
【請求項１】
少なくとも１つのライセンス保護付きシステム機能を有する少なくとも１つの要素を使用し、更に、管理ツール、管理エージェント、及びライセンス管理要素を使用する作動方法であって、
構成手順及びライセンス配備手順を実行する段階、
を含み、
ａ）前記構成手順は、
管理ツールから管理エージェントにライセンス保護付きシステム機能の構成のための指令を送る段階と、
前記管理エージェントによる前記ライセンス保護付きシステム機能の前記構成を実行する段階と、
を含み、
ｂ）前記ライセンス配備手順は、
前記管理ツールから前記管理エージェントにライセンスのダウンロードのための第１の指令を送り、それに応じて該ライセンスをダウンロードする段階と、
前記管理エージェントからライセンス管理要素に前記ライセンスの検証のための第２の指令を送る段階と、
検証が肯定の場合に前記ライセンスを永久的に記憶して有効ライセンスの存在について前記ライセンス保護付きシステム機能に通知する前記ライセンス管理要素による該ライセンスに対する検証処理を実行する段階と、
を含み、
ｃ）前記構成手順及び前記ライセンス配備手順は、実行の順序が任意であるように互いに独立しており、
ｄ）前記ライセンス保護付きシステム機能は、前記構成手順及び前記ライセンス配備手順の両方が適正に実行された場合にのみ使用可能にされる、
ことを特徴とする方法。
【請求項２】
前記検証処理を前記実行する段階は、前記ライセンスのステータスについて前記ライセンス管理要素を観察し、検証が否定の場合に前記ライセンス保護付きシステム機能を使用不可にする段階を含むことを特徴とする請求項１に記載の方法。
【請求項３】
前記構成手順及び前記ライセンス配備手順の最後に実行された手順の適正な実行後に前記ライセンス保護付きシステム機能を使用可能にする段階を更に含むことを特徴とする請求項１に記載の方法。
【請求項４】
前記使用不可にする段階は、前記ライセンス保護付きシステム機能を即座に使用不可にする段階を含むことを特徴とする請求項２に記載の方法。
【請求項５】
前記構成手順による構成を有効に保ち、別のライセンス配備手順が適正に実行された後に再度前記ライセンス保護付きシステム機能を使用可能にする段階を更に含むことを特徴とする請求項４に記載の方法。
【請求項６】
前記構成を前記実行する段階は、前記管理エージェントによる前記ライセンス保護付きシステム機能の前記構成の前記実行のために構成管理要素を使用する段階を含むことを特徴とする請求項１に記載の方法。
【請求項７】
前記管理ツールは、第１の要素及び第２の要素を含み、
前記第１の要素は、前記管理ツールに関連する前記構成手順の段階を実行し、前記第２の要素は、該管理ツールに関連する前記ライセンス配備手順の段階を実行する、
ことを特徴とする請求項１に記載の方法。
【請求項８】
管理エージェントと、ライセンス管理要素と、少なくとも１つのライセンス保護付きシステム機能を処理する構成管理要素とを有する被管理システムであって、
管理エージェントが、異なるトリガに応じてライセンスを分配及び削除し、該ライセンスのステータスを問い合わせ、かつそれぞれの接続を通じてライセンス保護付きシステム機能を設定する指令を受け取るように構成されており、
前記管理エージェントは、構成管理要素及びライセンス管理要素に作動可能に接続され、かつ該ライセンス管理要素に記憶されたライセンスを有効又は無効にするように構成され、
前記ライセンス管理要素は、前記ライセンスを永久的に記憶してライセンスの有効性について通知するように構成され、かつ
前記構成管理要素は、前記ライセンスの前記有効性又は存在とは独立に前記ライセンス保護付きシステム機能の構成を準備し、かつ前記ライセンス管理要素を観察するように構成されており、
前記構成管理要素及び前記ライセンス管理要素は、前記ライセンス保護付きシステム機能が、前記ライセンスの前記ステータスに関して該ライセンスが有効である場合にのみ通知されて使用可能にされるように構成された互いとの作動可能な接続を含む、
ことを特徴とするシステム。
【請求項９】
管理ツールと、管理エージェント、ライセンス管理要素、及び少なくとも１つのライセンス保護付きシステム機能を処理する構成管理要素を有する被管理システムとを含む管理システムであって、
管理ツールが、管理エージェントに作動可能に接続されており、かつ異なるトリガに応じてライセンスを分配及び削除し、該ライセンスのステータスを問い合わせ、それぞれの接続を通じてライセンス保護付きシステム機能を設定するように構成されており、
前記管理エージェントは、構成管理要素及びライセンス管理要素に作動可能に接続され、かつ該ライセンス管理要素に記憶されたライセンスを有効又は無効にするように構成され、
前記ライセンス管理要素は、前記ライセンスを永久的に記憶してライセンスの有効性について通知するように構成され、かつ
前記構成管理要素は、前記ライセンスの前記有効性又は存在とは独立に前記ライセンス保護付きシステム機能の構成を準備し、かつ前記ライセンス管理要素を観察するように構成されており、
前記構成管理要素及び前記ライセンス管理要素は、前記ライセンス保護付きシステム機能が、前記ライセンスのステータスに関して該ライセンスが有効である場合にのみ通知されて使用可能にされるように構成された互いとの作動可能な接続を含む、
ことを特徴とするシステム。
【請求項１０】
システムのための作動方法であって、
管理ツールから管理エージェントにライセンス保護付きシステム機能の構成のための指令を送り、かつ
前記管理エージェントによる前記ライセンス保護付きシステム機能の前記構成を実行する、
ことによって構成手順を実行する段階と、
前記管理ツールから前記管理エージェントにライセンスをダウンロードする第１の指令を送り、
前記管理エージェントからライセンス管理要素に前記ライセンスの検証のための第２の指令を送り、かつ
肯定検証に対するライセンスを永久的に記憶して有効ライセンスの存在について前記ライセンス保護付きシステム機能に通知する前記ライセンス管理要素による前記ライセンスのための検証処理を実行する、
ことによってライセンス配備手順を実行する段階と、
前記構成手順及び前記ライセンス配備手順が実行された場合に、前記ライセンス保護付きシステム機能を使用可能にする段階と、
を含むことを特徴とする方法。
【発明の詳細な説明】
【技術分野】
【０００１】
本発明は、関連するライセンス保護構成からのライセンスの完全分離のための方法及びシステムに関する。特に、本発明は、作動方法及び管理システム、並びにそれに適する被管理システムに関する。
【背景技術】
【０００２】
本発明の背景は、ライセンス保護付きシステムの機能（並びに、勿論、ライセンス保護のないシステムの機能）を有する要素を含むシステムの分野である。このようなシステム機能は、例えば、通信システム、「非同期転送モード（ＡＴＭ）アダプテーションレイヤー」タイプ２（ＡＡＬ−２）多重化のような分野でのシステムの特定の機能性である。この種のシステム機能（すなわち、ライセンス保護されたもの）の背後にある基本概念は、付加的に価格を付けることができる関連ライセンスによって保護されたある一定のシステム機能を有することである。有効ライセンスが利用可能である場合は、ライセンス保護付きシステム機能を使用することができ、このような有効ライセンスが利用可能でない場合は、ライセンス保護付きシステム機能を使用できない。
【０００３】
しかし、ライセンスの管理は、顧客が、彼らが使用したいと思うある一定のシステム機能に対するライセンスを購入し、供給元が、同意された支払いが行われた後でこれらのライセンスを提供する、それ独自の記号論理的な処理に結果としてなっている。この処理がまだ確立されていないので、現時点では、しばらくの間はこれを他の処理に統合することはできない。また、将来の時点で、これは、非常に困難な分野のまま残ることになる。これは、構成管理処理とライセンス管理処理の統合に関して特に当て嵌まることである。
【０００４】
公知の製品では、ライセンス保護付きシステム機能を使用することができる前に、最初にライセンスを得ることが要求される。言い換えると、製品に対してライセンス（接続される何らかのハードウエアとすることができる）が存在するか、又は製品を完全に使用することができるか又は全く使用できないかのいずれかである。これはまた、ライセンスを要求する多くのＰＣベースソフトウエアの戦略である。
【０００５】
一部の解決法は、それらが、ある一定の量の時間、例えば３日間にわたって、又はある一定の制限付き、例えば、ライセンスが配備される前に保存することが許可されないという制限付きでライセンス保護付きシステム機能の使用を可能にするという意味で少しスマートである。殆どのシェアウェア製品は、この解決法に基づいている。
しかし、これらの実施は、特に、多くのライセンス保護付きシステム機能を含むシステムが、それらを作動に取り込む処理に関して固く、かつ柔軟性がないという欠点を有する。このようなシステムの一例は、単一ネットワーク要素がかなり膨大な数の構成パラメータに関わっている最新の従来技術の通信システムである。
【発明の開示】
【０００６】
従って、本発明の目的は、従来技術の上述の欠点を克服することである。
この目的は、独立請求項に示すものに従って解決される。有利な修正は、従属請求項に規定される。
特に、本発明の１つの態様は、少なくとも１つのライセンス保護付きシステム機能を有する少なくとも１つの要素を使用し、更に、管理ツール、管理エージェント、及びライセンス管理要素を使用する作動方法であり、本方法は、構成手順及びライセンス配備手順を含み、構成手順は、管理ツールから管理エージェントにライセンス保護付きシステム機能の構成のための指令を送る段階と、管理エージェントによってライセンス保護付きシステム機能の構成を実行する段階とを含み、ライセンス配備手順は、管理ツールから管理エージェントにライセンスのダウンロードのための指令を送り、それに応じてライセンスをダウンロードする段階と、管理エージェントからライセンス管理要素にライセンスの検証のための指令を送る段階と、検証が肯定である場合に、永久的にライセンスを記憶し、かつ有効ライセンスの存在についてライセンス保護付きシステム機能に通知するライセンス管理要素によるダウンロードされたライセンスに対する検証処理を実行する段階とを含み、構成手順及びライセンス配備手順は、それらの実行の順序が任意であるように互いに独立しており、ライセンス保護付きシステム機能は、構成手順及びライセンス配備手順の両方が適正に実行された場合にのみ使用可能になる。
【０００７】
第１の修正によると、ライセンス管理要素は、ライセンスのステータスについて観察され、検証が否定である場合には、ライセンス保護付きシステム機能は使用不可になる。
この場合、使用不可は、即座に有効にすることができる。しかし、構成は有効のままであるものとし、ライセンス保護付きシステム機能は、別のライセンス配備手順が適正に実行された後で再度使用可能になる。
【０００８】
第２の修正によると、ライセンス保護付きシステム機能は、構成手順及びライセンス配備手順からの最後に実行された手順の適正な実行の後で即座に使用可能になる。
第３の修正によると、管理エージェントは、ライセンス保護付きシステム機能の構成の実行のために構成管理要素を使用する。
第４の修正によると、管理ツールは、第１要素と第２要素を含み、第１要素は、管理ツールに関連した構成手順の段階を実行し、一方、第２要素は、管理ツールに関連したライセンス配備手順の段階を実行する。
【０００９】
本発明の別の態様は、管理エージェントと、ライセンス管理要素と、少なくとも１つのライセンス保護付きシステム機能を処理する構成管理要素とを有する被管理システムであり、管理エージェントは、異なるトリガに応じてライセンスを分配及び削除する指令を受け取り、ライセンスのステータスを問い合わせ、並びにそれぞれの接続を通じてライセンス保護付きシステム機能を設定するように構成されており、また、管理エージェントは、構成管理要素及びライセンス管理要素に作動可能に接続され、かつライセンス管理要素に記憶されたライセンスを有効又は無効にするように構成されており、ライセンス管理要素は、永久的にライセンスを記憶し、かつライセンスの有効性について通知するように構成されており、構成管理要素は、ライセンスの有効性又は存在とは独立にライセンス保護付きシステム機能の構成を準備し、かつライセンス管理要素を観察するように構成されており、構成管理要素及びライセンス管理要素は、ライセンス保護付き機能が、対応するライセンスのステータスについて通知され、かつライセンスが有効な場合にのみ使用可能になるように構成された互いとの作動可能な接続を含む。
【００１０】
本発明の更に別の態様は、管理ツールと、管理エージェント、ライセンス管理要素、及び少なくとも１つのライセンス保護付きシステム機能を処理する構成管理要素を有する被管理システムとを含む管理システムであり、管理ツールは、管理エージェントに作動可能に接続され、かつ異なるトリガに応じてライセンスを分配及び削除し、ライセンスのステータスを問い合わせ、並びにそれぞれの接続を通じてライセンス保護付きシステム機能を設定するように構成されており、管理エージェントは、構成管理要素及びライセンス管理要素に作動可能に接続され、かつライセンス管理要素に記憶されたライセンスを有効又は無効にするように構成されており、ライセンス管理要素は、永久的にライセンスを記憶し、かつライセンスの有効性について通知するように構成されており、構成管理要素は、ライセンスの有効性又は存在とは独立にライセンス保護付きシステム機能の構成を準備し、かつライセンス管理要素を観察するように構成されており、構成管理要素及びライセンス管理要素は、ライセンス保護付き機能が、対応するライセンスのステータスについて通知され、かつライセンスが有効な場合にのみ使用可能になるように構成された互いとの作動可能な接続を含む。
【００１１】
以上によると、構成管理及びライセンス管理は、あらゆる処理に適応する最大の柔軟性をユーザにもたらすために厳密に分離されている。例えば、この最大の柔軟性は、ライセンス保護付きシステム機能の存在が一般的である新しい製品のための絶対的に時間依存型の発表段階を実際にサポートするものである。これは、このような新しい製品、すなわち、システムが多くのライセンス保護付きシステム機能を含む場合に特に当て嵌まる。
【００１２】
すなわち、本発明に従って達成されるような構成管理とライセンス管理の分離は、ライセンス保護付きシステム機能を構成することが、もはや対応する有効ライセンスが構成されるシステムにインストールされた後だけに可能であることはないことを意味する。これは、構成が行われる前にライセンスを最初に配備する必要がないことを意味し、そうでなければ既に確立された処理に大きな影響を与える可能性がある。
【００１３】
ユーザにとっては、ライセンス及び構成管理処理を互いに高度に独立させて実行することは非常に有益である。すなわち、ライセンス保護付きシステム機能（及び、勿論、ライセンス保護のないシステム機能）の構成をライセンスがシステムに配備される前と後に行うことができる解決法が提供される。
言い換えると、本発明により、ライセンスがない場合にも構成を行うことができる。更に、ライセンス保護付きシステム機能は、完全に構成可能であるが、使用可能にされないか又は使用されない。ライセンスが配備された場合にのみ、既に構成された機能は、ライセンス保護付きシステム機能を更に構成する必要なく実際に使用される。また、ライセンスファイルが最初に配備されて構成が２番目に行われる場合、機能は、即座に作動可能である。更に、ライセンスが取り除かれた場合、構成は残るが、機能的に使用不可になるか又は使用から外される。これは、ライセンスが固定された量の時間に対してのみ有効であるのでライセンスを更新する必要がある場合に対して特に新しい態様である。
【００１４】
本発明の実施形態は、ライセンス保護付きシステム機能の構成及び関連ライセンスの配備が、ライセンス保護付きシステム機能を含むユーザのシステム要素に構成及びライセンスを配備するそれらの処理に対してユーザに十分な制御を与えるために完全に分離されることを保証する。ライセンスがこのようなシステム要素に配備された場合にのみ、対応する機能は、実際に使用可能になるか又は使用される。構成及び配備段階は分離されており、従って、ユーザは、構成を十分に制御する。
具体的には、本発明の一実施形態によると、ライセンス保護付きシステム機能を含むシステムが最初に構成される。すなわち、ライセンス保護付きシステム機能が構成されるが、まだ使用可能ではないか又は機能的に使用されていない。その後、ライセンスが配備され、ライセンス保護付きシステム機能が即座に使用されるか又は使用可能にされる。
【００１５】
本発明の別の実施形態によると、ライセンスが最初に配備される。その後、ライセンス保護付きシステム機能を含むシステムが構成される。ライセンス保護付きシステム機能は、即座に使用される。
更に別の実施形態によると、ライセンスファイルが取り除かれた場合、ライセンス保護付きシステム機能は、使用不可になるか又は使用から外されるが、ライセンス保護付きシステム機能は構成されたままである。それは、次に、ライセンスが再度配備された後に即座に使用可能になるか又は使用される。
本発明の更なる詳細、目的、特徴、及び利点は、添付図面と共に為される本発明の好ましい実施形態の以下の詳細説明から明らかになるであろう。
【発明を実施するための最良の形態】
【００１６】
本発明の好ましい実施形態として、以下に例示的な実施例について説明する。
特定の必要性に応じて、ユーザは、最初にライセンス保護付きシステム機能を構成することができ、その後でライセンスを配備することができ、又は逆の場合も同様である。添付の図面は、本発明の対応する好ましい実施形態を示している。
図１は、本発明の１つの好ましい実施形態によるライセンス保護付きシステム機能管理システムの簡略な図を示している。この管理システムは、管理ツールと被管理システムを含む。
具体的には、管理ツールは、管理エージェントに作動可能に接続されている。この接続の構成は、管理エージェントを通じてライセンス保護付きシステム機能を構成し、並びに管理エージェントへのライセンスの分配を開始し、管理エージェントを通じてライセンスの削除を開始し、ライセンス有効性ステータスの問合せを開始することを含む。
【００１７】
本発明のある一定の実施形態によると、管理ツールは、物理的に閉じられたユニットである必要はない。これらの実施形態は、管理エージェントにライセンスの分配を開始し、管理エージェントを通じてライセンスの削除を開始し、又はライセンス有効性ステータスの問合せを開始するための構成を含む管理エージェントとの作動可能な接続を含むライセンス管理ツールが存在することができるように管理ツールが２つに分割されていることを含む。更に、管理エージェントを通じてライセンス保護付きシステム機能を設定する構成を含む管理エージェントとの別の作動可能な接続を含む構成管理ツールが存在することができる。
【００１８】
更に別の実施形態は、ユーザインタフェースに関して単体の外観を供給するメタ管理ツールが存在するが、このメタ管理ツールが、実際には上述のライセンス管理ツールと構成管理ツールの組合せを含むということである。
管理エージェントは、実際には既に被管理システムの一部であり、上述の種類に従って具体化される管理ツールに対してインタフェースとして働く。
更に、被管理システム内では、管理エージェントは、ライセンス保護のないシステム機能及びライセンス保護付きシステム機能の両方を含むシステム機能を構成するように配置された構成管理要素と作動可能に接続されている。上述のように、構成指令（ライセンス保護付きシステム機能を構成するための）は、ライセンス保護付きシステム機能の構成管理に指令を渡す管理エージェントに対して管理ツールによって開始される。この実施形態によると、ライセンス保護付き機能は、対応するライセンスの存在（ステータス）に無関係に構成される。
【００１９】
構成管理要素に加えて、被管理システムは、管理エージェントに作動可能に接続されたライセンス管理要素を含む。すなわち、上述のライセンス管理に関連した指令（分配、削除、問合せ）は、ライセンス管理要素に指令を渡す管理エージェントに対して管理ツールによって開始される。ライセンス管理要素では、ライセンスが使用されるか（分配）、使用から外されるか（削除）、又はライセンスステータスをここで問い合わすことができる。
言い換えると、管理エージェントは、永久的にデータを記憶してライセンスの有効性を検査するように構成されたライセンス管理要素と作動可能に接続されている。
【００２０】
別の作動可能な接続は、構成管理要素／ライセンス保護付きシステム機能とライセンス管理要素の間にある。本発明の一実施形態によると、この接続は、「オブザーバ」と呼ばれるソフトウエアパターンを含む。この接続は、初期化段階の間に、ライセンス保護付きシステム機能がある一定の（対応する）ライセンスの状態及び存在を予約するように構成される。逆に、ライセンス保護付きシステム機能は、関係のあるライセンスの状態が変更された場合に報告／通知される。
【００２１】
上述のように、この実施形態によると、ライセンスの配備及び削除は、ライセンス保護付きシステム機能の構成に関係なく実行することができる。ライセンス保護付きシステム機能は、ライセンス管理要素に加入することによって対応するライセンスのステータスを作動中に観察する。関係するライセンスのステータス（有効、有効でない）に応じて、構成された特徴機能が使用可能／使用不可になる。
【００２２】
図２は、本発明の別の実施形態による作動方法を示すシーケンス図である。
より詳細には、この実施形態による方法は、管理エージェントに管理ツールから「ＣｏｎｆｉｇｕｒｅＦｅａｔｕｒｅ（）」指令を送り、管理エージェントが、次に、ライセンス保護付きシステム機能に「ｍａｋｅＣｏｎｆｉｇｕｒａｔｉｏｎｓ（）」指令を送ることによって構成される構成手順を含む。
更に、この実施形態による方法は、「ＬｉｃｅｎｓｅＤｏｗｎｌｏａｄ（）」指令を管理エージェントに送ることによって構成されるライセンス配備手順を含む。次に、管理エージェントは、「ＶａｌｉｄａｔｅＬｉｃｅｎｓｅ（）」指令を「ｖａｌｉｄａｔｅ（）」及び「ｓｔｏｒｅ＿ｐｅｒｓｉｓｔｅｎｔｌｙ（）」ルーチンをそれぞれ実行することによりライセンスを検証して検証に成功したライセンスを永久的に記憶するライセンス管理要素に送る。有効なライセンスの存在は、ライセンス管理要素によってライセンス保護付きシステム機能に通知される。
このように適正に実行される構成及びライセンス配備手順の両方により、それぞれのルーチンは、ライセンス保護付きシステム機能に対応する機能性を使用可能にする。
すなわち、この実施形態によると、ライセンス保護付きシステム機能を含むシステムが最初に構成され、これは、ライセンス保護付きシステム機能が構成されるが、まだ使用可能ではないか又は機能的に使用されないことを意味する。ライセンスが配備された後にのみ、ライセンス保護付きシステム機能が即座に使用されるか又は使用可能にされる。
【００２３】
図３は、本発明の更に別の実施形態による作動方法を示すシーケンス図を示している。
この実施形態によると、上述の手順は逆の順序で実行され、すなわち、ライセンス配備手順が最初に実行されてから構成手順が実行される。尚、この手順自体は、上述のように構成される。ここでもまた、両方の手順が適正に実行された後で、ライセンス保護付きシステム機能のそれぞれのルーチンは、そのライセンス保護付き機能を使用可能にする。
すなわち、この実施形態によると、ライセンスが最初に配備され、ライセンス保護付きシステム機能を含むシステムは、その後にのみ構成される。ライセンス保護付きシステム機能は、次に、即座に使用されるか又は使用可能にされる。
当業者には容易に明らかなように、上述の好ましい実施形態は、１つよりも多い、例えば複数のライセンス保護付きシステム機能が存在するという修正を含む。
【００２４】
本発明の実施形態によると、構成管理及びライセンス管理は、完全に切り離され、従って、ライセンス配信のための記号論理的な処理を独立した処理として保つことができる。しかし、要求される場合には、あらゆる他の配信処理と容易に結合させることができる。更に、この柔軟性により、完全に時間を最適化することができ、ライセンス保護付きシステム機能が含まれる製品発表を迅速に保つことができる。これは、どのユーザに対してもライセンス管理を受け入れられるようにするために必要な重要な利点の１つである。
【００２５】
実施形態としての本発明の実施には、ライセンス保護付きシステム機能が使用されるあらゆる分野が含まれる。例えば、目下の関心の１つの分野として、「ユニバーサル・モバイル・テレコミュニケーション・システム（ＵＭＴＳ）」が考えられており、特に、「無線アクセスネットワーク（ＲＡＮ）」では、何千ものネットワーク要素を構成する必要があり、従って、この完全分離及び得られる柔軟性から利益が得られる。
【００２６】
上述の説明に含まれているのは、少なくとも１つのライセンス保護付きシステム機能を有する少なくとも１つの要素を使用し、更に、管理ツール、管理エージェント、及びライセンス管理要素を使用する作動方法であり、本方法は、構成手順及びライセンス配備手順を含み、構成手順は、管理ツールから管理エージェントにライセンス保護付きシステム機能の構成のための指令を送る段階と、管理エージェントによってライセンス保護付きシステム機能の構成を実行する段階とを含み、ライセンス配備手順は、管理ツールから管理エージェントにライセンスのダウンロードのための指令を送り、それに応じてライセンスをダウンロードする段階と、管理エージェントからライセンス管理要素にライセンスの検証のための指令を送る段階と、検証が肯定である場合に、永久的にライセンスを記憶し、かつ有効ライセンスの存在についてライセンス保護付きシステム機能に通知するライセンス管理要素によるダウンロードされたライセンスに対する検証処理を実行する段階とを含み、構成手順及びライセンス配備手順は、それらの実行の順序が任意であるように互いに独立しており、ライセンス保護付きシステム機能は、構成手順及びライセンス配備手順の両方が適正に実行された場合にのみ使用可能になる。
現時点で本発明の好ましい実施形態であると考えられるものを上述したが、特許請求の範囲によって規定される本発明の精神及び範囲から逸脱することなく、上述の好ましい実施形態の様々な修正及びその間の組合せが可能であることは当業者には十分に明らかである。
【図面の簡単な説明】
【００２７】
【図１】本発明の一実施形態によるライセンス保護付きシステム機能のための管理システムを示す図である。
【図２】本発明の別の実施形態による作動方法を示すシーケンス図である。
【図３】本発明の更に別の実施形態による作動方法を示すシーケンス図である。
【図１】
2008513870.tif 000002
【図２】
2008513870.tif 000003
【図３】
2008513870.tif 000004